(57)【要約】      （修正有）【課題】連結具のフック部を、例えば衣服等のシート状物の被取付部材の係合部に掛け止めることで、例えば衣服の脱着を簡単に且つ迅速に連結作業を行うことができる。【解決手段】フック部50の基部40には、フック部50の側方に延出され、フック部50を掛け止められたシート状物を、フック部50の開口51に臨む内面に向かって弾性的に押圧することができる弾性片70を設け、連結具20を介して取付部材32と被取付部材31とを互いに連結した。フック部50が係合部33に係止された状態で、フック部50と係合部33とを離脱させる予め設定された所定の荷重が加えられたときに、フック部50が弾性変形して、取付部材32と被取付部材31との連結状態が解除される。【選択図】図１
2015058166.tif 000002
【特許請求の範囲】
【請求項１】
開口を有する略Ｊ字状のフック部と、
前記フック部の基部に位置し、シート状物の一端部に位置する取付部材を取り付ける取付部とからなる連結具を、前記シート状物の他端部に位置する被取付部材に取り付け、
前記シート状物の前記被取付部材には、前記フック部を掛け止めることができる係合部を設け、
前記フック部の前記基部には、
前記フック部の側方に延出され、前記フック部を掛け止められた前記シート状物を、前記フック部の前記開口に臨む内面に向かって弾性的に押圧することができる弾性片を設け、
前記連結具を介して前記取付部材と前記被取付部材とを互いに連結したことを特徴とする連結構造。
【請求項２】
前記フック部が前記係合部に係止された状態で、前記フック部と前記係合部とを離脱させる予め設定された所定の荷重が加えられたときに、前記フック部が弾性変形して、前記取付部材と前記被取付部材との連結状態が解除されることを特徴とする請求項１に記載の連結構造。
【請求項３】
被取付部材に設けられた係合部に掛け止めることができる、開口を有する略Ｊ字状のフック部と、
前記フック部の基部の一端部から前記フック部の側方に延出され、前記フック部が掛け止められた前記被取付部材を、前記フック部の前記開口に臨む内面に向かって弾性的に押圧することができる弾性片と、
前記基部の他端部に位置し、前記被取付部材に連結する取付部材を取り付け可能な取付部とからなる連結具。
【請求項４】
前記フック部は、
前記係合部に係止された状態で、前記フック部と前記係合部とを離脱させる予め設定された所定の引き離し荷重が加えられたときに、前記開口を開く方向に弾性変形可能であることを特徴とする請求項３に記載の連結具。
【請求項５】
前記フック部には、
その少なくとも一部に軟質部位若しくは撓み変形可能な部位を設けていることを特徴とする請求項４に記載の連結具。
【請求項６】
前記フック部は、
熱可塑性エラストマー樹脂により成形されていることを特徴とする請求項４に記載の連結具。
【請求項７】
前記フック部、前記基部、前記取付部のいずれか少なくとも一つには、
前記フック部が前記係合部に係止された状態で、前記フック部と前記係合部とを離脱させる予め設定された所定の引き離し荷重が加えられたときに、破断可能な脆弱部を設けていることを特徴とする請求項３に記載の連結具。
【請求項８】
前記被取付部材の前記係合部には、
前記フック部に係止された状態で、前記フック部と前記係合部とを離脱させる予め設定された所定の引き離し荷重が加えられたときに、破断可能な脆弱部を設けていることを特徴とする請求項１に記載の連結構造。
【発明の詳細な説明】
【技術分野】
【０００１】
この発明は、例えば衣服に用いられる連結構造及びこれに用いる連結具に関し、例えば衣服等のシート状物の被取付部材の係合部に掛け止めることで、例えば衣服の脱着を簡単に且つ迅速に連結作業を行うことができるようにしたものである。
【背景技術】
【０００２】
従来、衣服に用いられる連結構造としては、衣服の両側身頃に一対の外側帯片を設け、当該外側帯片を背側で結んで着用するものがあった（特許文献１の段落番号「０００７」、「００１２」及び図１参照）。
また、従来、衣服の合わせ目に沿って、複数のフックを設け、複数のフックを掛けて止め着ける構造があった（特許文献１の第１頁第２欄第２〜６行目、第１〜３図及び第５図参照）。
【先行技術文献】
【特許文献】
【０００３】
【特許文献１】登録実用新案第３０２０２７２号公報
【特許文献２】実公昭５２−６４６号公報
【発明の概要】
【発明が解決しようとする課題】
【０００４】
しかし、上記した従来の連結構造では、紐を結んだり、フックを止め着ける必要があるため、衣服の着用が面倒で、時間が掛かるという第一の問題点があった。
また、上記した従来の連結構造では、脱ぐ際に、紐をほどいたり、フックを外す必要があるため、脱ぐのが面倒で、時間が掛かるという第二の問題点があった。
そこで、各請求項にそれぞれ記載された各発明は、上記した従来の技術の有する第一の問題点、若しくは第二の問題点に鑑みてなされたものであり、その目的とするところは、次の点にある。
（請求項１）
請求項１に記載の発明は、上記した従来の技術の有する第一の問題点に鑑みてなされたものであり、次の点を目的とする。
【０００５】
すなわち、請求項１に記載の発明は、連結具のフック部を、例えば衣服等のシート状物の被取付部材の係合部に掛け止めることで、簡単に且つ迅速に連結作業を行うことができるようにしたものである。
このため、シート状物として例えば衣服に利用した場合には、着用が簡便で、迅速に行うことができる。
【０００６】
これに加え、請求項１に記載の発明は、連結具のフック部を、被取付部材の係合部に掛け止めた後、弾性片により、シート状物を、前記フック部の前記開口に臨む内面に向かって弾性的に押圧することができるので、フック部が係合部に掛けた止めた位置からずれたり、外れたりするのを未然に防止することができるようにしたものである。
（請求項２）
請求項２に記載の発明は、上記した請求項１に記載の発明の目的に加え、従来の技術の有する第二の問題点に鑑みてなされたものであり、次の点を目的とする。
【０００７】
すなわち、請求項２に記載の発明は、フック部と係合部とを離脱させる予め設定された所定の荷重が加えられたときに、フック部が弾性変形することで、取付部材と被取付部材との連結状態を簡便に且つ迅速に解除することができるようにしたものである。
このため、シート状物として例えば衣服に利用した場合には、脱ぐことが簡便に、且つ迅速に行うことができる。
（請求項３）
請求項３に記載の発明は、次の点を目的とする。
【０００８】
すなわち、請求項３に記載の発明は、上記した請求項１に記載の連結構造に好適な連結具を提供することができるようにしたものである。
（請求項４）
請求項４に記載の発明は、上記した請求項３に記載の発明の目的に加え、次の点を目的とする。
【０００９】
すなわち、請求項４に記載の発明は、フック部と係合部とを離脱させる予め設定された所定の引き離し荷重が加えられたときに、フック部が開口を開く方向に弾性変形することで、取付部材と被取付部材との連結状態を簡便に且つ迅速に解除することができるようにしたものである。
このため、取付部材及び被取付部材として例えば衣服に利用した場合には、脱ぐことが簡便に、且つ迅速に行うことができる。
（請求項５）
請求項５に記載の発明は、上記した請求項４に記載の発明の目的に加え、次の点を目的とする。
【００１０】
すなわち、請求項５に記載の発明は、フック部の少なくとも一部に軟質部位若しくは撓み変形可能な部位を設けていることで、フック部に弾性変形可能な部位を容易に形成することができるようにしたものである。
（請求項６）
請求項６に記載の発明は、上記した請求項４に記載の発明の目的に加え、次の点を目的とする。
【００１１】
すなわち、請求項６に記載の発明は、熱可塑性エラストマー樹脂によりフック部を成形することで、フック部に弾性変形可能な部位を容易に形成することができるようにしたものである。
（請求項７）
請求項７に記載の発明は、上記した請求項３に記載の発明の目的に加え、次の点を目的とする。
【００１２】
すなわち、請求項７に記載の発明は、連結具に破断可能な脆弱部を設けることで、フック部と係合部とを離脱させる予め設定された所定の引き離し荷重が加えられたときに、連結具の脆弱部が破断することにより、取付部材と被取付部材との連結状態を簡便に且つ迅速に解除することができるようにしたものである。
このため、取付部材及び被取付部材として衣服に利用した場合には、脱ぐことが簡便に、且つ迅速に行うことができる。
（請求項８）
請求項８に記載の発明は、上記した請求項１に記載の発明の目的に加え、次の点を目的とする。
【００１３】
すなわち、請求項８に記載の発明は、被取付部材の係合部に破断可能な脆弱部を設けることで、フック部と係合部とを離脱させる予め設定された所定の引き離し荷重が加えられたときに、係合部の脆弱部が破断することにより、取付部材と被取付部材との連結状態を簡便に且つ迅速に解除することができるようにしたものである。
このため、取付部材及び被取付部材として衣服に利用した場合には、脱ぐことが簡便に、且つ迅速に行うことができる。
【課題を解決するための手段】
【００１４】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、連結構造(10)であって、次の点を特徴とする。
【００１５】
第１に、例えば図１〜５に示すように、開口(51)を有する略Ｊ字状のフック部(50)と、フック部(50)の基部(40)に位置し、シート状物(30)の一端部に位置する取付部材(32)を取り付ける取付部(60)とからなる連結具(20)を、シート状物(30)の他端部に位置する被取付部材(31)に取り付ける。
第２に、シート状物(30)の被取付部材(31)には、例えば図１及び図８に示すように、フック部(50)を掛け止めることができる係合部(33)を設ける。
【００１６】
第３に、フック部(50)の基部(40)には、例えば図１及び図８に示すように、フック部(50)の側方に延出され、フック部(50)を掛け止められたシート状物(30)を、フック部(50)の開口(51)に臨む内面に向かって弾性的に押圧することができる弾性片(70)を設け、連結具(20)を介して取付部材(32)と被取付部材(31)とを互いに連結した。
（請求項２）
請求項２に記載の発明は、上記した請求項１に記載の発明の特徴点に加え、次の点を特徴とする。
【００１７】
すなわち、例えば図９に示すように、フック部(50)が係合部(33)に係止された状態で、フック部(50)と係合部(33)とを離脱させる予め設定された所定の荷重が加えられたときに、フック部(50)が弾性変形して、取付部材(32)と被取付部材(31)との連結状態が解除される。
（請求項３）
請求項３に記載の発明は、連結具(20)であって、次の点を特徴とする。
【００１８】
すなわち、連結具(20)は、例えば図１に示すように、次の構成を備える。
（１）フック部(50)
フック部(50)は、例えば図１及び図８に示すように、被取付部材(31)に設けられた係合部(33)に掛け止めることができる、開口(51)を有する略Ｊ字状に形成されている。
（２）弾性片(70)
弾性片(70)は、例えば図１及び図８に示すように、フック部(50)の基部(40)の一端部からフック部(50)の側方に延出され、フック部(50)が掛け止められた被取付部材(31)を、フック部(50)の開口(51)に臨む内面に向かって弾性的に押圧することができるものである。
【００１９】
（３）取付部(60)
取付部(60)は、例えば図１〜５に示すように、基部(40)の他端部に位置し、被取付部材(31)に連結する取付部材(32)を取り付け可能なものである。
（請求項４）
請求項４に記載の発明は、上記した請求項３に記載の発明の特徴点に加え、次の点を特徴とする。
【００２０】
すなわち、フック部(50)は、例えば図９に示すように、係合部(33)に係止された状態で、フック部(50)と係合部(33)とを離脱させる予め設定された所定の引き離し荷重が加えられたときに、開口(51)を開く方向に弾性変形可能である。
（請求項５）
請求項５に記載の発明は、上記した請求項４に記載の発明の特徴点に加え、次の点を特徴とする。
【００２１】
すなわち、フック部(50)には、その少なくとも一部に軟質部位若しくは撓み変形可能な部位を設けている。
（請求項６）
請求項６に記載の発明は、上記した請求項４に記載の発明の特徴点に加え、次の点を特徴とする。
【００２２】
すなわち、フック部(50)は、熱可塑性エラストマー樹脂により成形されている。
（請求項７）
請求項７に記載の発明は、上記した請求項３に記載の発明の特徴点に加え、次の点を特徴とする。
すなわち、フック部(50)、基部(40)、取付部(60)のいずれか少なくとも一つには、例えば図１０及び図１１に示すように、フック部(50)が係合部(33)に係止された状態で、フック部(50)と係合部(33)とを離脱させる予め設定された所定の引き離し荷重が加えられたときに、破断可能な脆弱部(100)を設けている。
（請求項８）
請求項８に記載の発明は、上記した請求項１に記載の発明の特徴点に加え、次の点を特徴とする。
【００２３】
すなわち、被取付部材(31)の係合部(200)には、例えば図１２及び図１３に示すように、フック部(50)に係止された状態で、フック部(50)と係合部(200)とを離脱させる予め設定された所定の引き離し荷重が加えられたときに、破断可能な脆弱部（例えば係合部脆弱部220）を設けている。
【発明の効果】
【００２４】
本発明は、以上のように構成されているので、以下に記載されるような効果を奏する。
（請求項１）
請求項１に記載の発明によれば、次のような効果を奏する。
すなわち、請求項１に記載の発明によれば、連結具のフック部を、例えば衣服等のシート状物の被取付部材の係合部に掛け止めることで、簡単に且つ迅速に連結作業を行うことができる。
【００２５】
このため、シート状物として例えば衣服に利用した場合には、着用が簡便で、迅速に行うことができる。
これに加え、請求項１に記載の発明によれば、連結具のフック部を、被取付部材の係合部に掛け止めた後、弾性片により、シート状物を、前記フック部の前記開口に臨む内面に向かって弾性的に押圧することができるので、フック部が係合部に掛けた止めた位置からずれたり、外れたりするのを未然に防止することができる。
（請求項２）
請求項２に記載の発明によれば、上記した請求項１に記載の発明の効果に加え、次のような効果を奏する。
【００２６】
すなわち、請求項２に記載の発明によれば、フック部と係合部とを離脱させる予め設定された所定の荷重が加えられたときに、フック部が弾性変形することで、取付部材と被取付部材との連結状態を簡便に且つ迅速に解除することができる。
このため、シート状物として例えば衣服に利用した場合には、脱ぐことが簡便に、且つ迅速に行うことができる。
（請求項３）
請求項３に記載の発明によれば、次のような効果を奏する。
【００２７】
すなわち、請求項３に記載の発明によれば、上記した請求項１に記載の連結構造に好適な連結具を提供することができる。
（請求項４）
請求項４に記載の発明によれば、上記した請求項３に記載の発明の効果に加え、次のような効果を奏する。
【００２８】
すなわち、請求項４に記載の発明によれば、フック部と係合部とを離脱させる予め設定された所定の引き離し荷重が加えられたときに、フック部が開口を開く方向に弾性変形することで、取付部材と被取付部材との連結状態を簡便に且つ迅速に解除することができる。
このため、取付部材及び被取付部材として例えば衣服に利用した場合には、脱ぐことが簡便に、且つ迅速に行うことができる。
（請求項５）
請求項５に記載の発明によれば、上記した請求項４に記載の発明の効果に加え、次のような効果を奏する。
【００２９】
すなわち、請求項５に記載の発明によれば、フック部の少なくとも一部に軟質部位若しくは撓み変形可能な部位を設けていることで、フック部に弾性変形可能な部位を容易に形成することができる。
（請求項６）
請求項６に記載の発明によれば、上記した請求項４に記載の発明の効果に加え、次のような効果を奏する。
【００３０】
すなわち、請求項６に記載の発明によれば、熱可塑性エラストマー樹脂によりフック部を成形することで、フック部に弾性変形可能な部位を容易に形成することができる。
（請求項７）
請求項７に記載の発明によれば、上記した請求項３に記載の発明の効果に加え、次のような効果を奏する。
【００３１】
すなわち、請求項７に記載の発明によれば、連結具に破断可能な脆弱部を設けることで、フック部と係合部とを離脱させる予め設定された所定の引き離し荷重が加えられたときに、連結具の脆弱部が破断することにより、取付部材と被取付部材との連結状態を簡便に且つ迅速に解除することができる。
このため、取付部材及び被取付部材として衣服に利用した場合には、脱ぐことが簡便に、且つ迅速に行うことができる。
（請求項８）
請求項８に記載の発明によれば、上記した請求項１に記載の発明の効果に加え、次のような効果を奏する。
【００３２】
すなわち、請求項８に記載の発明によれば、被取付部材の係合部に破断可能な脆弱部を設けることで、フック部と係合部とを離脱させる予め設定された所定の引き離し荷重が加えられたときに、係合部の脆弱部が破断することにより、取付部材と被取付部材との連結状態を簡便に且つ迅速に解除することができる。
このため、取付部材及び被取付部材として衣服に利用した場合には、脱ぐことが簡便に、且つ迅速に行うことができる。
【図面の簡単な説明】
【００３３】
【図１】連結構造を説明するための分解斜視図である。
【図２】連結具の斜視図である。
【図３】連結具の側面図である。
【図４】連結具の平面図である。
【図５】図４のＶ−Ｖ線に沿う断面図である。
【図６】連結具の取り付け方法を説明するものであり、同図は一部断面図である。
【図７】図６に対応し、同図は連結具の取り付け状態を示す一部断面図である。
【図８】図７に対応し、同図は連結具を断面にした一部断面図である。
【図９】連結具の取り外し方法を説明するものであり、同図は一部断面図である。
【図１０】本発明の第２の実施の形態を説明するものであり、同図は連結具の側面図である。
【図１１】本発明の第３の実施の形態を説明するものであり、同図は連結具の側面図である。
【図１２】本発明の第２の実施の形態を説明するものであり、同図は係合部の平面図である。
【図１３】図１２に対応し、係合部の分解斜視図である。
【発明を実施するための形態】
【００３４】
（連結構造10）
図１中、10は連結構造を示すものであり、連結具20を介して衣服30を連結するのに使用される。
衣服20は、図１に示すように、衣服本体である被取付部材31と、この被取付部材31に一端部が固定されたベルトの他端部である取付部材32とを有する。被取付部材31は、体に装着可能な衣服本体であり、略Ｊ字型のフック状の連結具20を掛け止めることができる、表裏面に貫通した円形の穴状の係合部33を設けている。また、取付部材32は、ベルトであり、図示しないが、その一端部が衣服本体である被取付部材31に固定され、図１に示すように、その他端部が連結具20に取り付けられて固定されている。衣服30を着用するには、図示しないが、衣服本体である被取付部材31を体に装着し、ベルト状の取付部材32で体を締め付けるようにして、図６〜８に示すように、連結具20を衣服本体である被取付部材31側に設けられた穴状の係合部33に掛け止めることで、衣服本体である被取付部材31を体に着用することができる。
【００３５】
なお、衣服30を例示したが、これに限定されず、図示しないが、カバン類やザック類などに使用してもよい。また、係合部33として、円形の穴を例示したが、これに限定されず、リングなどから構成してもよい。
（連結具20の構造）
連結具20は、図１〜５に示すように、略Ｊ字型のフック状に形成され、一端部が衣服本体である被取付部材31に固定されたベルト状の取付部材32の他端部が固定され、図６〜８に示すように、衣服本体である被取付部材31に形成された穴状の係合部33に掛け止めることで、衣服本体である被取付部材31とベルト状の取付部材32とを互いに連結するものである。
【００３６】
連結具20は、適度な弾性を有する熱可塑性樹脂、例えば熱可塑性エラストマー樹脂により一体的に成型されている。なお、熱可塑性樹脂として、熱可塑性エラストマー樹脂を例示したが、これに限定されない。
具体的には、連結具20は、図１〜５に示すように、大別すると、次の各部を備える。
なお、次の（２）〜（４）については後述する。
【００３７】
（１）基部40
（２）フック部50
（３）取付部60
（４）弾性片70
なお、連結具20の各部は、上記した（１）〜（４）に限定されない。
（フック部50）
フック部50は、図１及び図８に示すように、衣服本体である被取付部材31に設けられた穴状の係合部33に掛け止めることができる、開口51を有する略Ｊ字状に形成されている。
【００３８】
また、フック部50は、図９に示すように、穴状の係合部33に係止された状態で、フック部50と係合部33とを離脱させる予め設定された所定の引き離し荷重が加えられたときに、開口51を開く方向に弾性変形可能である。
すなわち、フック部50には、その少なくとも一部に軟質部位若しくは撓み変形可能な部位を設けている。
【００３９】
具体的には、フック部50は、熱可塑性エラストマー樹脂により成形されている。
なお、本実施の形態では、連結具20の全体を、熱可塑性エラストマー樹脂により一体的に成型したが、フック部50のみ部分的に、熱可塑性エラストマー樹脂により成形すれば足りる。
具体的には、フック部50には、図２〜５に示すように、次の各部を備える。
【００４０】
なお、フック部50の各部は、次の（１）及び（２）に限定されない。
（１）爪部52
爪部52は、図３及び図５に示すように、フック部50の開口51に臨む内面から開口51に向かって爪状に突出するものである。爪部52は、図７及び図８に示すように、フック部50を衣服本体である被取付部材31に設けられた穴状の係合部33に掛け止めた際に、その布の表面に食い込むことで、被取付部材31に対するフック部50の移動やずれを防止するためのものである。
【００４１】
（２）先端斜面53
先端斜面53は、図２及び図４に示すように、フック部50の先端部の両側面にそれぞれ形成され、フック部50の横幅を先端部に向かって先細状に狭めるように、傾斜させるものであり、後述する弾性片70の先端部との間に位置する。
（取付部60）
取付部60は、図１〜５に示すように、基部40の他端部に位置し、被取付部材31に連結する取付部材32を取り付け可能なものである。
【００４２】
取付部60には、図１〜５及び図８に示すように、一端部が衣服本体である被取付部材31に固定されたベルト状の取付部材32の他端部を通すベルト穴61を設けている。ベルト穴61には、図８に示すように、ベルト状の取付部材32を通し、折り返し、重合状に縫い合わせて固定している。
なお、取付部60として、ベルト穴61を例示したが、これに限定されず、ベルト状の取付部材32に直接、縫い付けたり、ハトメを使用して固定してもよい。
（弾性片70）
弾性片70は、図１及び図８に示すように、フック部50の基部40の一端部からフック部50の側方に延出され、フック部50が掛け止められた被取付部材31を、フック部50の開口51に臨む内面に向かって弾性的に押圧することができるものである。
【００４３】
弾性片70は、図２及び図４に示すように、一対形成されている。
なお、弾性片70を、一対形成したが、これに限定されず、単数或いは３本以上形成してもよい。
弾性片70の先端部には、図２及び図４に示すように、フック部50の先端斜面53に対向させて、傾斜内側面71を設けている。傾斜内側面71は、フック部50の先端斜面53と対向し、弾性片70の横幅を先端部に向かって先細状に狭めるように傾斜している。傾斜内側面71は、フック部50の先端斜面53と協同して、フック部50を衣服本体である被取付部材31に設けられた穴状の係合部33に掛け止め際の操作性を向上するためのものである。
（連結具20の取り付け方法）
つぎに、上記した構成を備える連結具20の取り付け方法について、図６〜８を用いて説明する。
【００４４】
図６に示すように、連結具20にベルト状の取付部材32を固定した状態で、そのフック部50を衣服本体である被取付部材31に設けられた穴状の係合部33に合わせて装着する。
フック部50は、図７及び図８に示すように、穴状の係合部33に引っ掛けるようにして装着する。
フック部50を装着すると、弾性片70が衣服本体である被取付部材31の布に押されて撓み、フック部50の先端部が穴状の係合部33にはまり込み、穴状の係合部33の反対側に突出する。
【００４５】
この状態で、ベルト状の取付部材32を、衣服本体である被取付部材31に対して引っ張ると、フック部50の爪部52が穴状の係合部33の縁部に乗り上がり、衣服本体である被取付部材31の布に食い込む。
なお、ベルト状の取付部材32を引っ張ったが、これに限定されず、連結具20を持って引っ張ってもよいし、或いは衣服本体である被取付部材31側を引っ張ってもよい。
【００４６】
このとき、フック部50の爪部52と、衣服本体である被取付部材31の布をはさんで反対側に位置する弾性片70がその弾性復元力により、布を爪部52に向かって押し付けることで、フック部50が穴状の係合部33に対して固定される。
このため、衣服本体である被取付部材31に対し、連結具20を介して、ベルト状の取付部材32が固定される。
（連結具20の取り外し方法）
つぎに、連結具20の取り外し方法について、図９を用いて説明する。
【００４７】
図７及び図８に示すように、連結具20を取り付けた状態で、ベルト状の取付部材32を、衣服本体である被取付部材31に対して引っ張ると、フック部50の先端部分が直線的に延びることで、穴状の係合部33から抜け出て外れる。
なお、ベルト状の取付部材32を引っ張ったが、これに限定されず、連結具20を持って引っ張ってもよいし、或いは衣服本体である被取付部材31側を引っ張ってもよい。
【００４８】
このため、衣服本体である被取付部材31とベルト状の取付部材32との連結状態を迅速に解除できる。
なお、フック部50の先端部分が直線的に延びた後、自身の弾性復元力により、再度、略Ｊ字状に復元し、再利用も可能である。
また、連結具20を無理に引っ張るようにして取り外したが、先に説明した取り付け手順と逆の手順で、弾性片70が手で撓めるようにして外しても構わない。
（図１０の第２の実施の形態）
つぎに、図１０を用いて本発明の第２の実施の形態について説明する。
【００４９】
本実施の形態の特徴は、連結具20のフック部50の長さの途中に、図１０に示すように、薄肉の脆弱部100であるフック脆弱部110を形成した点である。
本実施の形態では、図示しないが、衣服本体である被取付部材31の穴状の係合部33に連結具20を取り付けた状態で、無理に引っ張ると、フック部50がフック脆弱部110から破断する。
【００５０】
このため、図示しないが、フック部50の一部が穴状の係合部33に残った状態で、残る連結具20が穴状の係合部33から外れる。
したがって、本実施の形態によれば、図１〜９を用いて説明した第１の実施の形態のものと同様に、衣服本体である被取付部材31とベルト状の取付部材32との連結状態を迅速に解除できる。
（図１１の第３の実施の形態）
つぎに、図１１を用いて本発明の第３の実施の形態について説明する。
【００５１】
本実施の形態の特徴は、連結具20の基部40に、図１１に示すように、薄肉の脆弱部100である基部脆弱部120を形成した点である。
本実施の形態では、図示しないが、衣服本体である被取付部材31の穴状の係合部33に連結具20を取り付けた状態で、無理に引っ張ると、基部400が基部脆弱部120から破断する。
このため、図示しないが、フック部50が穴状の係合部33に残った状態で、残る連結具20が穴状の係合部33から外れる。
【００５２】
したがって、本実施の形態によれば、先に図１０を用いて説明した第２の実施の形態のものと同様に、衣服本体である被取付部材31とベルト状の取付部材32との連結状態を迅速に解除できる。
なお、脆弱部100として、本実施の形態では基部400に基部脆弱部120を形成し、先に図１０を用いて説明した第２の実施の形態ではフック部50にフック脆弱部110を形成したが、これに限定されず、取付部材32に脆弱部を設け、当該取付部材32が破断してベルト状の取付部材32が外れるようにしてもよい。
（図１２及び図１３の第４の実施の形態）
つぎに、図１２及び図１３を用いて本発明の第４の実施の形態について説明する。
【００５３】
本実施の形態の特徴は、衣服本体である被取付部材31の係合部200に、図１２に示すように、その係合穴210の縁部に沿って係合部脆弱部220を形成した点である。
本実施の形態では、図示しないが、衣服本体である被取付部材31の穴状の係合部33に連結具20を取り付けた状態で、無理に引っ張ると、係合穴210が係合部脆弱部220から「破断」して、穴径が拡張することで、連結具20のフック部50が拡径した係合穴210から抜け出て外れる。
【００５４】
なお、「破断」は、係合部脆弱部220が、例えば裂けて切れたり、千切れたりすることのほか、弾性変形して穴径が拡張する場合を含む概念である。
したがって、本実施の形態によれば、図１〜９を用いて説明した第１の実施の形態のものと同様に、衣服本体である被取付部材31とベルト状の取付部材32との連結状態を迅速に解除できる。
【００５５】
係合部脆弱部220の形成方法としては、図１３に示すように、係合穴210に次の２つの部材を取り付けている。
なお、係合部脆弱部220の形成方法として、２つの部材を例示したが、これらに限定されず、係合穴210の縁部に切り込みを入れ、連結具20が無理に引っ張られた際に、係合穴210の縁部が裂けるようにしてもよい。
【００５６】
（１）ベース部材230
ベース部材230は、図１３に示すように、衣服本体である被取付部材31の布の表裏面の片側面に位置し、係合穴210の縁部に取り付けられる。ベース部材230は、破断し易い材質の熱可塑性樹脂、例えば熱可塑性エラストマー樹脂により一体的に成型されている。なお、熱可塑性樹脂として、熱可塑性エラストマー樹脂を例示したが、これに限定されない。
【００５７】
ベース部材230は、リング状に形成され、その中央に係合穴210より一回り小さい円形の貫通孔231が形成されている。また、ベース部材230の周囲には、衣服本体である被取付部材31の布を突き抜ける複数の突起部232が形成されている。さらに、ベース部材230には、貫通孔231の縁部に切欠部233が形成されている。切欠部233は、貫通孔231の縁部が裂けたり、千切れたり、或いは弾性変形し易くするためのものであり、貫通孔231の内縁部に沿うリング状の周囲が係合部脆弱部220を構成する。
【００５８】
（２）リング部材240
リング部材240は、図１３に示すように、衣服本体である被取付部材31の布を挟んで、ベース部材230と反対側に位置し、ベース部材230と協同して係合穴210の縁部に取り付けられる。リング部材240は、ベース部材230と同様に、破断し易い材質の熱可塑性樹脂、例えば熱可塑性エラストマー樹脂により一体的に成型されている。なお、熱可塑性樹脂として、熱可塑性エラストマー樹脂を例示したが、これに限定されない。
【００５９】
リング部材240は、ベース部材230と略対称のリング状に形成され、その中央に係合穴210より一回り小さい円形の貫通孔241が形成されている。また、リング部材240の周囲には、ベース部材230の突起部232にはまり合う係合穴242が、突起部232と同数を形成されている。さらに、リング部材240には、貫通孔241の縁部に切欠部243が形成している。切欠部243は、ベース部材230の切欠部233と同様に、貫通孔241の縁部が裂けたり、千切れたり、或いは弾性変形し易くするためのものであり、貫通孔241の内縁部に沿うリング状の周囲が係合部脆弱部220を構成する。
【００６０】
一方、係合穴210の内径は、連結具20のフック部50が容易に外れるように、図１〜９を用いて説明した第１の実施の形態のものと比較し、大きめに設定している。
これに対し、ベース部材230とリング部材240との貫通孔231,241の内径が、係合穴210の内径より小さく形成されていることから、両部材230,240を係合穴210の周囲に取り付けた状態では、連結具20のフック部50が両部材230,240の係合部脆弱部220に取り付く。
【００６１】
このため、連結具20を取り付けた状態で、無理に引っ張ると、両部材230,240の係合部脆弱部220から「破断」して、両部材230,240の貫通孔231,241の内径が拡張することで、連結具20のフック部50が拡径した貫通孔231,241から抜け出て外れる。
なお、両部材230,240の係合部脆弱部220が弾性変形する場合には、両部材230,240の再利用が可能である。また、係合部脆弱部220が裂けたり、千切れたりする場合には、両部材230,240を取り外し、新たな両部材230,240を係合穴210の周囲に取り付けることで再利用することができる。また、連結具20については、外れた連結具20をそのまま再利用できる。
【符号の説明】
【００６２】
（第１の実施の形態、図１〜１０）
10  連結構造                20  連結具
30  シート状物（衣服）      31  被取付部材（衣服本体）
32  取付部材（ベルト状）    33  係合部（穴状）
40  基部
50  フック部                51  開口
52  爪部                    53  先端斜面
60  取付部                  61  ベルト穴
70  弾性片                  71  傾斜内側面
（第２の実施の形態、図１０）
100  脆弱部                 110  フック脆弱部
（第３の実施の形態、図１１）
120  基部脆弱部
（第４の実施の形態、図１２及び図１３）
200  係合部
210  係合穴                 220  係合部脆弱部
230  ベース部材             231  貫通孔
232  突起部                 233  切欠部
240  リング部材             241  貫通孔
242  係合穴                 243  切欠部
【図１】
2015058166.tif 000003
【図２】
2015058166.tif 000004
【図３】
2015058166.tif 000005
【図４】
2015058166.tif 000006
【図５】
2015058166.tif 000007
【図６】
2015058166.tif 000008
【図７】
2015058166.tif 000009
【図８】
2015058166.tif 000010
【図９】
2015058166.tif 000011
【図１０】
2015058166.tif 000012
【図１１】
2015058166.tif 000013
【図１２】
2015058166.tif 000014
【図１３】
2015058166.tif 000015